(57)【要約】【課題】原稿の重送が生じると、スキャナ部は、後続する原稿の暫定サイズを、先行する原稿の確定サイズと誤認識することがある。【解決手段】一実施形態によれば、原稿の面を読取るスキャナ部と、原稿の搬送路に給紙し停止位置で原稿を一旦止める搬送部、原稿先端を検知する第１センサおよび停止位置よりも上流で原稿後端を検知する第２センサを備える原稿搬送部と、停止中の原稿の暫定兼確定サイズ又は暫定サイズを判定し暫定兼確定サイズ情報又は暫定サイズ情報をスキャナ部へ送り、搬送再開後、暫定サイズと判定した原稿の確定サイズを第２センサの後端通過の検知により判定し原稿の確定サイズ情報をスキャナ部へ送る判定部と、判定部がスキャナ部へ暫定兼確定サイズ情報又は暫定サイズ情報を通知するタイミングをスキャナ部による読取りが完了するまで遅らせる制御部とを備える原稿読取装置が提供される。【選択図】図１
2013187898.tif 000002
【特許請求の範囲】
【請求項１】
主走査方向と交差する副走査方向の一方を搬送方向とする原稿の面を前記主走査方向に平行な原稿読取り前の停止位置から前記副走査方向への走査により読取るスキャナ部と、
前記スキャナ部への前記原稿の搬送路、前記搬送路に給紙し前記停止位置で前記原稿を一旦止める搬送部、前記原稿の先端を検知する第１センサおよび前記停止位置よりも前記搬送方向上流の離れた位置で前記原稿の後端を検知する第２センサを備える原稿搬送部と、
各センサ出力により停止中の原稿の暫定兼確定サイズ又は暫定サイズを判定し暫定兼確定サイズ情報又は暫定サイズ情報を前記スキャナ部へ送り、搬送再開後、前記暫定サイズと判定した原稿の確定サイズを前記第２センサの後端通過の検知により判定し前記原稿の確定サイズ情報を前記スキャナ部へ送る判定部と、
前記判定部が前記スキャナ部へ前記暫定兼確定サイズ情報又は前記暫定サイズ情報を通知するタイミングを前記スキャナ部による読取りが完了するまで遅らせる制御部と、
を備える原稿読取装置。
【請求項２】
前記判定部は、前記原稿の搬送停止中、前記第１センサのオン、および前記第２センサのオフによって前記暫定兼確定サイズ情報を出力する請求項１記載の原稿読取装置。
【請求項３】
前記判定部は、前記原稿の搬送停止中、前記第１センサのオン、および前記第２センサのオンによって前記暫定サイズ情報を出力する請求項１記載の原稿読取装置。
【請求項４】
前記判定部は、搬送再開後に前記第２センサの出力がオフからオンへ変化する間の原稿搬送距離によって前記暫定サイズ情報に対応する前記原稿の前記確定サイズ情報を出力する請求項１記載の原稿読取装置。
【請求項５】
前記判定部は前記原稿搬送距離を、前記第１センサおよび前記第２センサ間の前記原稿の通過時間差および前記搬送部による前記原稿の搬送速度によって求める請求項４記載の原稿読取装置。
【発明の詳細な説明】
【技術分野】
【０００１】
一実施形態は原稿読取装置に関する。
【背景技術】
【０００２】
従来、原稿読取り前の停止地点に設けられたセンサが原稿の先端を検知し、そのセンサよりも搬送路において搬送方向上流側に設けられた他のセンサが原稿の後端を検知する原稿搬送装置が知られている（例えば特許文献１参照）。原稿サイズが異なる複数枚の原稿の束から原稿毎に原稿サイズを検知する混載モードにおいて、原稿幅検知用センサ及び原稿長さ検知用センサの検出結果によって原稿サイズを判定する原稿読取装置が知られている（例えば特許文献２参照）。
【０００３】
原稿読取装置は原稿幅検知用センサを読取り前停止地点に設け、原稿幅検知用センサよりも搬送方向上流に原稿長さ検知用センサを設ける場合が存在する。その構成を有する原稿読取装置は混載モードにおいて読取り前停止地点の手前で原稿を一時停止させたところで、原稿幅検知用センサ及び原稿長さ検知用センサの状態から原稿サイズを判断する。それらのセンサを用いたサイズの判断では、原稿搬送部は原稿の後端が何れか上流側のセンサを抜け切ったときに、原稿サイズを確定し確定サイズ情報をスキャナ部へ送るようにしている。
【０００４】
例えば原稿幅検知用センサ及び原稿長さ検知用センサの間の距離が、ＩＳＯ（ｉｎｔｅｒｎａｔｉｏｎａｌ ｏｒｇａｎｉｚａｔｉｏｎ ｆｏｒ ｓｔａｎｄａｒｄｉｚａｔｉｏｎ） Ａ３の長辺寸法よりも短く、及びＡ４の短辺寸法よりも長い場合、停止中のＡ３原稿の後端は上流側の原稿長さ検知用センサを抜け切らない。Ａ３原稿が一時停止している最中、原稿搬送部はＡ３原稿の暫定サイズを判定し、搬送再開後、後端が原稿長さ検知用センサを抜け切ったときに確定サイズを判定する。Ａ３のハーフサイズを持つＡ４の原稿の短辺寸法はセンサ間距離よりも短い。Ａ４原稿は一時停止したとき、停止位置において原稿の後端が既に原稿長さ検知用センサを抜け切る。Ａ４原稿は停止位置において暫定兼確定サイズが確定する。
【０００５】
混載モードにおいて原稿搬送部による原稿１枚毎のサイズ判定は、原稿長さ検知用センサの出力により処理内容が分岐する。読取り前停止地点に原稿が到達して停止したときに原稿後端が原稿長さ検知用センサを抜け切っているときの処理内容は、後端が抜け切っていないときの処理内容から異なる。
【０００６】
もし読取り前停止位置で原稿の後端が原稿長さ検知用センサを抜け切っている。その場合、原稿搬送部は例えばＡ４と即座に判定しスキャナ部へ暫定兼確定サイズ情報Ａ４を送る。原稿サイズが確定するため、暫定サイズがそのままスキャナ部の読取り画像サイズとして使われる。
【０００７】
一方読取り前停止位置で原稿の後端が原稿長さ検知用センサを抜け切っていない。その場合、原稿搬送部は原稿サイズを未だ定めることができない。原稿搬送部は原稿幅を基準とする複数の定型サイズのうちの最大サイズを暫定サイズ情報としてスキャナ部へ送信する。スキャナ部は最大サイズに応じた大きさのメモリ領域を確保し、読取りを開始する。原稿長さ検知用センサを原稿後端が抜けた時点で原稿搬送部は確定サイズを求める。原稿長さは例えば既に検出済みの先端の検知時点から後端の検知時点までの経過時間及び搬送速度によって求められる。
【０００８】
スキャナ部が原稿読取り中に、原稿長さが確定したところで、原稿搬送部は確定サイズ情報をスキャナ部へ送信する。スキャナ部は読取りの完了後、システムに確定サイズ情報を送信する。
【先行技術文献】
【特許文献】
【０００９】
【特許文献１】特開２０１２−８５２７３号公報
【特許文献２】特開２０１２−８５２８１号公報
【発明の概要】
【発明が解決しようとする課題】
【００１０】
しかし、原稿の重送が生じると、スキャナ部は、後続する原稿の暫定サイズを、先行する原稿の確定サイズと誤認識することがある。重送とは原稿の一部分に他の原稿が重なった状態でこれらの原稿が搬送されることを言う。
【００１１】
先行するＡ４の重送原稿（重送されている状態の複数枚のＡ４原稿）に引き続いて後続するＡ４原稿が読取り前停止位置に到達することがある。原稿搬送部は後続のＡ４原稿の暫定兼確定サイズＡ４を、先行する重送原稿の確定サイズ情報よりも先にスキャナ部へ送る場合がある。
【００１２】
スキャナ部は読取り完了後、暫定兼確定サイズＡ４が先行する原稿の確定サイズであると誤って認識するという問題が存在する。
【課題を解決するための手段】
【００１３】
このような課題を解決するため、一実施形態によれば、主走査方向と交差する副走査方向の一方を搬送方向とする原稿の面を前記主走査方向に平行な原稿読取り前の停止位置から前記副走査方向への走査により読取るスキャナ部と、前記スキャナ部への前記原稿の搬送路、前記搬送路に給紙し前記停止位置で前記原稿を一旦止める搬送部、前記原稿の先端を検知する第１センサおよび前記停止位置よりも前記搬送方向上流の離れた位置で前記原稿の後端を検知する第２センサを備える原稿搬送部と、各センサ出力により停止中の原稿の暫定兼確定サイズ又は暫定サイズを判定し暫定兼確定サイズ情報又は暫定サイズ情報を前記スキャナ部へ送り、搬送再開後、前記暫定サイズと判定した原稿の確定サイズを前記第２センサの後端通過の検知により判定し前記原稿の確定サイズ情報を前記スキャナ部へ送る判定部と、前記判定部が前記スキャナ部へ前記暫定兼確定サイズ情報又は前記暫定サイズ情報を通知するタイミングを前記スキャナ部による読取りが完了するまで遅らせる制御部と、を備える原稿読取装置が提供される。
【００１４】
また、別の一実施形態によれば、主走査方向と交差する副走査方向の一方を搬送方向とする搬送面、および前記搬送面上に前記主走査方向に平行な読取り前の停止位置を有する原稿台と、前記原稿台の前記搬送面上において前記搬送方向に先端および後端を持つ原稿の面を前記主走査方向に平行な読取り前の停止位置から前記副走査方向への走査により読取る光学機構と、前記光学機構が走査する前記読取り前の停止位置よりも前記搬送方向で手前に停止位置を持つ搬送路と、前記搬送路に沿ってトレイからの前記原稿を１枚ずつ前記搬送方向に搬送し、前記先端を前記停止位置に位置決めして前記原稿を停止させ、搬送を再開させる搬送部と、前記搬送部により搬送される前記原稿の前記停止位置において前記先端を検知する第１センサと、前記停止位置よりも前記搬送路の上流の位置において前記後端を検知する第２センサと、各センサの出力および前記搬送部の搬送又は停止の動作により前記停止位置での原稿の暫定兼確定サイズ又は暫定サイズを判定し暫定兼確定サイズ情報又は暫定サイズ情報を前記スキャナ部へ送り、搬送再開後に前記暫定サイズと判定した原稿の確定サイズを判定し確定サイズ情報を前記スキャナ部へ送る判定部と、前記判定部が前記光学機構へ前記暫定兼確定サイズ情報又は前記暫定サイズ情報を通知するタイミングを前記光学機構による読取り処理が完了するまで遅らせる制御部と、を備える原稿読取装置が提供される。
【図面の簡単な説明】
【００１５】
【図１】実施の形態に係る原稿読取装置の構成図である。
【図２】実施の形態に係る原稿読取装置の制御系のブロック図である。
【図３】実施の形態に係る原稿読取装置の混載モードでの重送が発生した際の処理のシーケンス例を示す図である。
【図４】関連技術による原稿読取装置の混載モードでの重送が発生した際の処理のシーケンス例を示す図である。
【発明を実施するための形態】
【００１６】
以下、実施の形態に係る原稿読取装置について、図１乃至図４を参照しながら説明する。尚、各図において同一箇所については同一の符号を付すとともに、重複した説明は省略する。
【００１７】
図１は実施の形態に係る原稿読取装置の構成図である。原稿読取装置１０は、原稿トレイ１１にセットされた原稿束からの原稿を搬送路１２に沿ってスキャナ部１３の第１のプラテンガラス２２上に搬送し、原稿面を読取るものである。
【００１８】
原稿読取装置１０は、主走査方向と直交する副走査方向の一方を原稿の搬送方向とする原稿の面を主走査方向に平行な読取り前の停止位置Ｐ１から副走査方向への走査により読取るスキャナ部１３と、スキャナ部１３への原稿の搬送路１２及び搬送路１２に給紙し停止位置Ｐ１で原稿を一旦止める搬送部１８を有するＡＤＦ（ａｕｔｏｍａｔｉｃ ｄｏｃｕｍｅｎｔ ｆｅｅｄｅｒ）１５（原稿搬送部）とを備える。
【００１９】
原稿読取装置１０はＡＤＦ１５に入口センサ１６（第１センサ）及び長さセンサ１７（第２センサ）を備える。入口センサ１６は原稿の先端を検知する。長さセンサ１７は停止位置Ｐ１よりも搬送方向上流の離れた基準位置Ｐ２において原稿の後端を検知する。図１の例ではセンサ間の搬送距離はＡ３の長辺寸法よりも短く、及びＡ４の短辺寸法よりも長い。
【００２０】
更にＡＤＦ１５は、原稿サイズの判定部１９と、主制御をする制御部２０とを備える。
【００２１】
判定部１９は各センサ出力により停止位置Ｐ１に停止中の原稿の暫定兼確定サイズ又は暫定サイズを判定し暫定兼確定サイズ情報又は暫定サイズ情報をスキャナ部１３へ送る。判定部１９は搬送再開後、暫定サイズと判定した原稿の確定サイズを長さセンサ１７の後端通過の検知により再度判定し原稿の確定サイズ情報をスキャナ部１３へ送る。
【００２２】
制御部２０は、判定部１９がスキャナ部１３へ暫定兼確定サイズ情報又は暫定サイズ情報を通知するタイミングをスキャナ部１３による読取り処理が完了するまで遅らせる。
【００２３】
スキャナ部１３は、副走査方向の一方を原稿搬送方向とする搬送面および搬送面上に停止位置Ｐ１を有し、搬送路１２の開口２１の下方に位置する第１のプラテンガラス２２（原稿台）を備える。
【００２４】
スキャナ部１３は固定された原稿の面が接する第２のプラテンガラス２３を備える。更にスキャナ部１３は、第１のプラテンガラス２２の搬送面上において原稿面を停止位置Ｐ１から副走査方向への走査により読取る光学機構２４を備える。
【００２５】
第１のプラテンガラス２２は原稿の停止位置Ｐ１にほぼ位置合わせされた一側面を持つＲＥＡＤ原稿ガラスである。
【００２６】
第２のプラテンガラス２３はガラス上にＡＤＦ１５がスキャナ部１３に対して開かれた状態で原稿が導かれる。
【００２７】
光学機構２４はプラテンガラス２２、２３の下方において水平に移動する。光学機構２４は光源、複数のミラー及びレンズを有する。光学機構２４は第１のプラテンガラス２２上を走行する原稿の画像を光学的に読取る。あるいは光学機構２４は第２のプラテンガラス２３の下面に沿って水平方向に動きプラテンガラス２３上の原稿の画像を光学的に読取る。スキャナ部１３は光学機構２４からの光ビームを電気信号に光電変換するＣＣＤ（ｃｈａｒｇｅ ｃｏｕｐｌｅｄ ｄｅｖｉｃｅ）２５を有する。
【００２８】
ＡＤＦ１５は搬送路１２に原稿トレイ１１からスキャナ部１３への原稿の搬送方向で読取り開始位置よりも手前に停止位置Ｐ１を有する。搬送部１８は搬送路１２に沿って原稿トレイ１１からの原稿を搬送方向に１枚ずつ搬送する。搬送部１８は原稿先端を停止位置Ｐ１に位置決めして原稿の搬送を一旦止め、暫定兼確定サイズ情報又は暫定サイズの判定後、搬送を再開させる。
【００２９】
ＡＤＦ１５は、プラテンガラス２２からの原稿を搬送方向下流側へ排出する排出パス２６と、排出パス２６よりも下流に設けられた排紙ローラ対２７とを備えてもよい。搬送部１８は、反転ゲート３０により排紙トレイ２８及び反転パス２９の何れか一方に排紙ローラ対２７からの原稿パスを導く。
【００３０】
更にＡＤＦ１５は、再搬送パス３１により反転パス２９により表裏を反転された原稿をプラテンガラス２２へ送ってもよい。ＡＤＦ１５は、再搬送パス３１に、排紙ローラ対２７から原稿を再搬送ローラ対１４へ導く他の反転ゲート３９を備えてもよい。
【００３１】
ＡＤＦ１５は原稿トレイ１１から原稿を取出すピックアップローラ３２と、原稿を分離する分離ローラ対３３とを備える。ＡＤＦ１５は、原稿先端を揃えるためのレジストローラ対３４と、原稿搬送を中継するための中間ローラ対３５とを備える。ＡＤＦ１５は、読取前ローラ対３６と、原稿押えローラ３７とを備える。
【００３２】
ＡＤＦ１５は入口センサ１６を読取前ローラ対３６及び原稿押えローラ３７間に設ける。入口センサ１６は例えば原稿幅検知用センサである。ＡＤＦ１５は長さセンサ１７を原稿トレイ１１の傾斜するトレイ面の下端に設ける。長さセンサ１７は例えば原稿長さ検知用センサである。ＡＤＦ１５は排出パス２６に読取後ローラ対３８を有する。
【００３３】
ピックアップローラ３２、分離ローラ対３３、レジストローラ対３４、中間ローラ対３５、読取前ローラ対３６、原稿押えローラ３７、読取後ローラ対３８及びそれらのローラに対応のモータは搬送部１８を構成する。
【００３４】
図２は原稿読取装置１０の制御系のブロック図である。既述の符号はそれらと同じ要素を表す。制御系４０は、モード切替えやスキャナ部１３全体を制御する本体制御部４１と、本体制御部４１に接続されたオペレーションパネル４２とを備える。本体制御部４１はＣＣＤ２５からの画像信号を記憶するバッファ５５を備える。本体制御部４１は、バス４３を介してＡＤＦ１５の判定部１９、制御部２０との間でデータを授受する。
【００３５】
制御部２０及び判定部１９の機能はＣＰＵ（ｃｅｎｔｒａｌ ｐｒｏｃｅｓｓｉｎｇ ｕｎｉｔ）４４、ＲＯＭ（ｒｅａｄ ｏｎｌｙ ｍｅｍｏｒｙ）４５及びＲＡＭ（ｒａｎｄｏｍ ａｃｃｅｓｓ ｍｅｍｏｒｙ）４６により実行される。
【００３６】
本体制御部４１は読取り開始時に露光開始を示す露光信号オンメッセージをＣＰＵ４４へ送る。本体制御部４１は読取り終了時に露光終了を示す露光信号オフのメッセージ（読取り終了通知）をＣＰＵ４４へ送る。
【００３７】
ＣＰＵ４４はＲＯＭ４５から、複数の定型サイズのそれぞれの長辺及び短辺の寸法を読む。ＣＰＵ４４は、入口センサ１６からの検知出力によって原稿幅を検知する。ＣＰＵ４４は長さセンサ１７からの検知出力により、原稿長さを検知する。原稿長さとは原稿の搬送方向の距離を言う。
【００３８】
判定部１９は搬送部１８により搬送される原稿の原稿サイズを１枚毎に判定する。判定部１９は、入口センサ１６および長さセンサ１７の各センサ出力および搬送部１８の搬送又は停止の動作により判定処理を最低２回実行する。
【００３９】
最低２回とは例えばＡ４サイズの判定は１回で済み、例えばＡ３サイズの判定は２回の判定を要することを言う。判定部１９は停止位置Ｐ１における原稿の暫定兼確定サイズ又は暫定サイズを１回判定して暫定兼確定サイズ又は暫定サイズをスキャナ部１３へ通知する。判定部１９は、暫定サイズと判定した原稿の確定サイズを搬送再開後に再度判定し、判定した確定サイズ情報をスキャナ部１３へ通知する。
【００４０】
判定部１９は、搬送部１８による原稿の搬送停止中、停止位置Ｐ１における入口センサ１６のオンおよび長さセンサ１７のオフによって暫定兼確定サイズ情報を出力する。オンとは原稿が有ることを言う。オフとは原稿が無いことを言う。
【００４１】
暫定サイズ情報について判定部１９は、原稿の搬送停止中、入口センサ１６のオンおよび長さセンサ１７のオンによって暫定サイズ情報を出力する。また、判定部１９は、搬送部１８による搬送再開後に長さセンサ１７の出力がオフからオンへ変化する間の原稿搬送距離によって既に出力済みの暫定サイズ情報に対応する原稿の確定サイズ情報を出力する。
【００４２】
原稿搬送距離を、判定部１９は入口センサ１６および長さセンサ１７間の原稿の通過時間差および搬送部１８による原稿の搬送速度によって求める。あるいは判定部１９は原稿搬送距離を、入口センサ１６による原稿幅、長さセンサ１７による原稿長、およびＲＯＭ４５が記憶する定型サイズ情報によって求めてもよい。
【００４３】
判定部１９がスキャナ部１３から原稿の読取り終了通知を受信した後、制御部２０は判定部１９に原稿の暫定兼確定サイズ情報又は暫定サイズ情報を出力させる。混載モードにおいて制御部２０は、処理待ち時間が複数枚の原稿間で不定であるように搬送を制御してもよい。
【００４４】
処理待ち時間とは、原稿が停止位置Ｐ１に停止した時点から原稿の搬送が再開する時点までの時間を言う。制御部２０は搬送部１８を通常モード及び混載モードを含む複数の動作モード下において動作させる。
【００４５】
更に制御系４０は、ピックアップソレノイド４７、給紙モータ４８、レジストモータ４９、リードモータ５０、排紙モータ５１、中間モータ５２及び反転ソレノイド５３、５４等を有する。
【００４６】
図１、図２に示すように、制御系４０は、原稿のピックアップ時、ピックアップソレノイド４７によりピックアップローラ３２を揺り動かす。給紙モータ４８はピックアップローラ３２及び分離ローラ対３３を回転駆動する。
【００４７】
レジストモータ４９はレジストローラ対３４を駆動回転する。リードモータ５０は、読取前ローラ対３６、読取後ローラ対３８を回転駆動する。排紙モータ５１は排紙ローラ対２７を回転駆動する。中間モータ５２は中間ローラ対３５を回転駆動する。反転ソレノイド５３は反転ゲート３０の回転位置を切替える。反転ソレノイド５４は反転ゲート３９の回転位置を切替える。
【００４８】
上述の構成を有する原稿読取装置１０のＡＤＦ１５は、原稿トレイ１１上に原稿の束を検知する。一例は、何れもＡ４の原稿サイズを持つ３枚の原稿がセットされるものとする。原稿の検知により本体制御部４１へ原稿の検知信号をＣＰＵ４４は送信する。ＣＰＵ４４は本体制御部４１からの給紙要求の受信により、原稿の給紙を開始する。
【００４９】
図３は混載モードでの重送が発生した際の原稿読取装置１０の処理のシーケンス例を示す図である。ＡＤＦ１５は、１枚目のＡ４原稿の短辺及び長辺のうちの短辺が搬送方向に平行になるように、Ａ４原稿を送る。
【００５０】
搬送路１２において先行する２枚の原稿による重送が発生するとする。例えば１枚目のＡ４原稿の後部に２枚目のＡ４原稿の前部が重なったとする。重送原稿の後端から離れて３枚目のＡ４原稿が正常に搬送されるとする。
【００５１】
アクト１１１において重送原稿の前端が読取り前停止地点に接するまで、ＡＤＦ１５は重送原稿を引込む。暫定サイズを取得するための処理プログラムをＣＰＵ４４は起動する。ＡＤＦ１５は重送原稿を読取り前の停止位置Ｐ１に止める。
【００５２】
アクト１１２においてＡＤＦ１５は暫定サイズを判定する。ＡＤＦ１５は入口センサ１６のオン及び長さセンサ１７のオンによって重送原稿の後端が長さセンサ１７を抜け切っていないことを検知する。
【００５３】
ＡＤＦ１５は重送原稿の暫定サイズを最大サイズに決定する。最大サイズとはプラテンガラス２２による有効な読取り幅に相当する原稿幅を持つ原稿サイズを言う。Ａ３サイズ、Ａ４Ｒ又は他のラージサイズのうちの何れかをＡＤＦ１５は決定する。
【００５４】
アクト１１２ではＡＤＦ１５はスキャナ部１３へ暫定サイズ情報として例えばＡ３を送信し、ＣＰＵ４４による処理プログラムを終了させる。
【００５５】
アクト１１３においてＡＤＦ１５は重送原稿の搬送を再開する。
【００５６】
一方アクト２１１においてスキャナ部１３は暫定サイズ情報Ａ３を受信すると、本体制御部４１が原稿の面を読取る処理のプログラムを起動する。
【００５７】
アクト２１２においてスキャナ部１３はバッファ５５にメモリ領域を確保する。スキャナ部１３はＡ３サイズにより重送原稿の読取りを開始する。スキャナ部１３は本体制御部４１へ暫定サイズ情報を送信し、露光信号オンのメッセージをＡＤＦ１５へ通知する。
【００５８】
アクト２１３の最中、スキャナ部１３は重送原稿を読取りし続ける。
【００５９】
アクト１１４においてＡＤＦ１５は、重送原稿の後端が長さセンサ１７の抜け切りを検知する。
【００６０】
アクト１１５において確定サイズを取得するための処理プログラムをＣＰＵ４４は起動する。一例として、ＣＰＵ４４は搬送再開の時点から長さセンサ１７のオフの時点までの重送原稿の搬送距離を計算する。ＣＰＵ４４は、搬送距離、入口センサ１６による原稿幅の検出値、及び定型サイズテーブル等を用いて原稿サイズを推定する。
【００６１】
アクト１１６において重送原稿の確定サイズをＡＤＦ１５はＡ３と判断する。ＡＤＦ１５はスキャナ部１３へ確定サイズ情報Ａ３を送り、ＣＰＵ４４による処理プログラムを終了させる。
【００６２】
同図（Ｉ）に示される部分が先行する重送原稿の処理である。引き続き、（ＩＩ）に示されるように、後続する１枚のハーフサイズのＡ４原稿の処理が始められる。
【００６３】
アクト１１７においてＡＤＦ１５はＡ４サイズの原稿を停止位置Ｐ１に止める。ＣＰＵ４４は後続原稿のサイズを取得するための処理プログラムを起動する。
【００６４】
アクト１１８においてＡＤＦ１５はスキャナ部１３から実質的に読取り終了通知を表す露光信号オフのメッセージを受信したかどうかを判定する。ＡＤＦ１５はメッセージを受信しない間、待機する（アクト１１８のＮｏルート）。
【００６５】
アクト２１４においてスキャナ部１３は読取りを終えると、ＡＤＦ１５へ露光信号オフのメッセージを送る。スキャナ部１３は本体制御部４１へ先行する重送原稿の確定サイズ情報Ａ３を送信する。
【００６６】
アクト１１８において受信待機中のＡＤＦ１５は露光信号オフのメッセージを受信すると、Ｙｅｓルートを通り、アクト１１９においてＡＤＦ１５は後続原稿のサイズを判定する。
【００６７】
アクト１１９では、入口センサ１６のオン及び長さセンサ１７のオフにより、原稿の後端が長さセンサ１７を抜け切っている。ＡＤＦ１５は暫定サイズと確定サイズとを２回に亘って通知する必要がない。停止中の原稿の後端が長さセンサ１７を抜け切っていることによって、直ちにＡＤＦ１５は後続の原稿サイズは暫定兼確定サイズＡ４と判定する。ＡＤＦ１５はスキャナ部１３へ暫定兼確定サイズ情報Ａ４を送信する。
【００６８】
アクト２１５においてスキャナ部１３は暫定兼確定サイズ情報Ａ４の受信によりバッファ５５にメモリ領域を確保する。アクト２１６において、スキャナ部１３は搬送が再開されている後続する原稿の読取りを開始する。
【００６９】
図３では、ＡＤＦ１５は、先行する重送原稿について２回サイズ情報を送り、後続の原稿について１回サイズ情報を送っている。
【００７０】
即ちＡＤＦ１５は、先行する重送原稿の後端が長さセンサ１７を抜け切る前に、ＡＤＦ１５は重送原稿の暫定サイズ情報をスキャナ部１３へ送っておく（アクト１１２）。重送原稿の後端が抜け切ったときに、ＡＤＦ１５はスキャナ部１３へ確定サイズ情報を送る（アクト１１６）。
【００７１】
ＡＤＦ１５はスキャナ部１３へ暫定兼確定サイズ情報を通知するタイミングを遅らせる処理（アクト１１８）を実装した。アクト１１８の受信待ちの処理の実装の点で原稿読取装置１０は関連技術と異なる。
【００７２】
原稿読取装置１０は、通知のタイミングを遅らせることによって、後続の暫定兼確定サイズ情報のＡＤＦ１５からスキャナ部１３への通知時点よりも前に、先行の確定サイズ情報がＡＤＦ１５からスキャナ部１３へ通知されないようにした。
【００７３】
原稿読取装置１０は、先行の確定サイズ情報の受信時点よりも早い時点で、スキャナ部１３により後続の暫定兼確定サイズ情報を受け取らない。
【００７４】
原稿読取装置１０によればスキャナ部１３は後続の暫定兼確定サイズ情報を、先行の重送原稿の確定サイズ情報と誤って認識することがなくなる。
【００７５】
図４は関連技術による原稿読取装置の混載モードでの重送が発生した際の処理のシーケンス例を示す図である。ＡＤＦ１００は関連技術による原稿読取装置に設けられた原稿搬送部を表す。ＡＤＦ１００は、ＡＤＦ１５のハードウェア構成と実質同じハードウェア構成を有する。それ以外で既述の符号やシーケンス番号は上記例と実質同じものを表す。
【００７６】
例えば２枚による重送原稿をＡＤＦ１００は読取り前停止地点で一旦停止させる（アクト３１１）。停止している重送原稿について、ＡＤＦ１００は暫定サイズ情報Ａ３をスキャナ部１３へ送る（アクト３１２）。
【００７７】
スキャナ部１３は暫定サイズ情報Ａ３を本体制御部４１へ送る（アクト２１１、２１２）。その後、ＡＤＦ１００は重送原稿の搬送を再開させる（アクト３１３）。
【００７８】
アクト２１３において先行する重送原稿が読取られている間、アクト３１４においてＡＤＦ１００は後続する１枚のＡ４原稿を読取り前停止位置Ｐ１に停める。
【００７９】
アクト３１５においてＡ４原稿の後端が長さセンサ１７を抜け切る。入口センサ１６のオン及び長さセンサ１７のオフによって直ちにＡＤＦ１００は暫定兼確定サイズがＡ４と判定する。
【００８０】
Ａ４判定のように各センサ値がオン、オフの場合、ＡＤＦ１００は対象はより短い原稿長を持つと判定する。つまり判定対象のサイズは暫定兼確定サイズであり、且つ１回の判定によってサイズが確定する。ＡＤＦ１００はそうして確定した暫定兼確定サイズ情報Ａ４をスキャナ部１３へ送る。
【００８１】
一方スキャナ部１３は先行する重送原稿の読取り中に、暫定兼確定サイズ情報Ａ４を受信する。スキャナ部１３は、受信したサイズ情報が先行する重送原稿の確定サイズ情報であること、あるいは、後続する原稿の暫定兼確定サイズ情報であることを判別することができない。
【００８２】
スキャナ部１３の状態は暫定サイズ情報を受信した状態にある。スキャナ部１３は受信した暫定兼確定サイズ情報を、先行する原稿の確定サイズ情報として誤って認識する。
【００８３】
誤認識が発生すると、本体側の処理に影響が生じる。例えば既に暫定サイズ情報Ａ３の大きさのメモリ領域をスキャナ部１３はバッファ５５に確保している。スキャナ部１３はＡ３サイズの領域の原稿面データから、Ａ４サイズに相当する範囲の領域内の原稿面データをトリミングしてしまう。印刷されるべき範囲が誤る可能性が生じる。
【００８４】
バッファ５５は、暫定サイズ情報のメモリ領域と、確定サイズ情報のメモリ領域とを有する。バッファ５５は、暫定サイズ情報がＡ３、確定サイズ情報Ａ４を依然として記憶したままになる。
【００８５】
混載モードで複数枚のＡ４原稿をセットされたときに、先行サイズの代わりに後続サイズを誤って認識するという事象が一旦発生する。ＡＤＦ１００は、発生の後、暫定サイズ情報を受け取るまでの間、暫定サイズ情報がＡ３であるという状態を保持し続けてしまう。Ａ４原稿面がＡ３サイズの用紙に印刷される可能性が存在する。
【００８６】
関連技術による原稿読取装置は、バッファ５５に不正確な暫定サイズ情報が記憶されること、及び先行原稿サイズを後続原稿サイズと誤って認識することという問題を解決することが依然できない。
【００８７】
問題が発生した際、原稿読取装置では、ハードウェア構成を変更せずに有効な対応策を持たない。関連技術ではできるだけ重送を起こさないようにユーザに注意を喚起するといった対策しかできない。
【００８８】
原稿読取装置１０によれば、ＡＤＦ１５がシステム側の読取り終了通知を受信するまで待ってから、次原稿の暫定サイズ情報を送信する。原稿読取装置１０は原稿の重送が発生した際、重送の発生時点以降に実行される原稿のサイズ検知に影響が出ないようにする手段を具備した。
【００８９】
これにより、図４の問題は解消される。混載モード時に重送が生じた場合であっても、重送発生の時点以降の原稿の正常なサイズ情報を、本体へ送ることができるようになる。
【００９０】
上記実施形態では、後続する原稿がＡ４サイズの例であったが、後続する原稿はＡ３、ラージサイズあるいはＡ４Ｒであっても良い。その場合も、ＡＤＦ１５は後続の原稿の暫定サイズ情報を遅延させてスキャナ部１３へ送る。混載モードにおいてＡＤＦ１５は全ての原稿の搬送時に原稿の暫定兼確定サイズ情報あるいは暫定サイズ情報を遅延させることで足りる。
【００９１】
（変形例）
上記図３のシーケンスでは、スキャナ部１３は露光信号オフの通知から確定サイズ情報の送信までの時間内に、アクト１１６の暫定兼確定サイズ情報を、ＡＤＦ１５から受信する可能性が存在する。ＡＤＦ１５及びスキャナ部１３間の通信速度と、これらに設けられた各基板上のＣＰＵの処理速度との変動が存在するからである。
【００９２】
可能性を排除するため、原稿読取装置１０は暫定兼確定サイズ情報の通知タイミングをＡＤＦ１５側でディレイさせてもよい。原稿読取装置１０の制御部２０は、露光信号オフのメッセージを受信すると、予め決められた十分な時間ウェイトを処理に挿入する。その後、判定部１９が暫定兼確定サイズ情報又は暫定サイズ情報を出力するように、制御部２０は判定部１９を制御する。
【００９３】
十分な時間を空けて暫定兼確定サイズ情報あるいは暫定サイズ情報を通知することにより、誤った認識の発生をなくすことができる。
【００９４】
上記実施形態ではセンサ間の搬送距離はＡ３の長辺寸法よりも短く、及びＡ４の短辺寸法よりも長いが、センサ間の間隔は種々変更可能である。原稿の定形サイズは、ＬＴＲ、ＬＤＲ、Ａ５、Ｂ５、Ｂ４、ＳＴＭＴ、ＬＧＬ、Ａ４ＲあるいはＢ５Ｒ等が存在する。判定すべき原稿サイズに応じて第１及び第２のセンサの間隔や、搬送部による原稿搬送速度や、サイズ判定タイミングは適宜決められるべきである。
【００９５】
上記実施形態では、図３、図４、図５のシーケンスやメッセージ自体の内容は一例であり、内容は種々変更可能である。
【００９６】
第１センサ、第２センサはそれぞれ入口センサ１６、長さセンサ１７であったが、これらの第１センサ、第２センサとして機能させるセンサ名は一例である。
【００９７】
原稿読取装置１０は第１センサ、第２センサとしての専用の２つのセンサを設けてもよい。あるいは原稿読取装置１０は搬送路１２に設けられた既存のセンサをこれらの第１センサ、第２センサとして機能させてもよい。これらの変更をして実施したに過ぎない実施品に対して実施の形態に係る原稿読取装置の優位性は何ら損なわれるものではない。
【００９８】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９９】
１０…原稿読取装置、１１…原稿トレイ、１２…搬送路、１３…スキャナ部、１４…再搬送ローラ対、１５…ＡＤＦ（原稿搬送部）、１６…入口センサ（第１センサ）、１７…長さセンサ（第２センサ）、１８…搬送部、１９…判定部、２０…制御部、２１…開口、２２…第１のプラテンガラス（原稿台）、２３…第２のプラテンガラス、２４…光学機構、２５…ＣＣＤ、２６…排出パス、２７…排紙ローラ対、２８…排紙トレイ、２９…反転パス、３０，３９…反転ゲート、３１…再搬送パス、３２…ピックアップローラ、３３…分離ローラ対、３４…レジストローラ対、３５…中間ローラ対、３６…読取前ローラ対、３７…原稿押えローラ、３８…読取後ローラ対、４０…制御系、４１…本体制御部、４２…オペレーションパネル、４３…バス、４４…ＣＰＵ、４５…ＲＯＭ、４６…ＲＡＭ、４７…ピックアップソレノイド、４８…給紙モータ、４９…レジストモータ、５０…リードモータ、５１…排紙モータ、５２…中間モータ、５３、５４…反転ソレノイド、５５…バッファ。
【図１】
2013187898.tif 000003
【図２】
2013187898.tif 000004
【図３】
2013187898.tif 000005
【図４】
2013187898.tif 000006